(57)【要約】【課題】増幅装置がコンテンツ再生装置からデジタル方式の映像信号又は静止画信号を受信している場合でも、増幅装置の設定状況を表示装置に表示できるＡＶシステムを提供する。【解決手段】ＡＶシステム１内のＡＶレシーバ１０は、ユーザからＯＳＤ表示の要求を受けたとき、ＤＶＤ再生装置５０からＨＤＭＩ方式の映像信号を受信しているか否かを判断する。判断の結果、ＤＶＤ再生装置５０からＨＤＭＩ方式の映像信号を受信してる場合、ＡＶレシーバ１０は設定状況情報を含むＯＳＤ要求をＤＶＤ再生装置５０に送信する。ＤＶＤ再生装置５０は設定状況情報に基づいてＯＳＤ信号φＯＳ２を生成し、ＤＶＤ映像信号ＤＶＳと混合した混合信号ＭＩＸをＡＶレシーバ１０を経由して表示装置２００に出力する。【選択図】図６
2006187027.tif 000002
【特許請求の範囲】
【請求項１】
表示装置に接続可能な増幅装置と、前記増幅装置に接続されるコンテンツ再生装置とを備えたＡＶシステムであって、
前記コンテンツ再生装置は、
アナログ方式又はデジタル方式の映像信号又は静止画信号を生成する生成手段を備え、
前記増幅装置は、
ＯＳＤ（オンスクリーンディスプレイ）表示の要求を受信する受信手段と、
前記コンテンツ再生装置からデジタル方式の映像信号又は静止画信号を受信している場合であって、前記ＯＳＤ表示の要求を受信したとき、前記増幅装置の設定状況を前記表示装置に表示させるためのＯＳＤ要求を前記コンテンツ再生装置に送信する要求手段と、
前記コンテンツ再生装置からアナログ方式の映像信号又は静止画信号を受信している場合であって、前記ＯＳＤ表示の要求を受信したとき、前記増幅装置の設定状況を前記表示装置に表示させる第１のＯＳＤ指示手段とを備え、
前記コンテンツ再生装置は、
前記ＯＳＤ要求を受信したとき、前記増幅装置の設定状況を前記表示装置に表示させる第２のＯＳＤ指示手段を備えることを特徴とするＡＶシステム。
【請求項２】
請求項１に記載のＡＶシステムであって、
前記ＯＳＤ要求は前記増幅装置の設定状況情報を含み、
前記第２のＯＳＤ指示手段は、
前記ＯＳＤ要求を受信したとき、前記生成手段が前記映像信号又は静止画信号を生成しているか否かを判断する再生判断手段と、
前記生成手段は前記映像信号又は静止画信号を生成していると前記再生判断手段が判断した場合、前記設定状況情報に基づいてＯＳＤ信号を生成するＯＳＤ生成手段と、
前記ＯＳＤ信号を前記映像信号又は静止画信号と混合した混合信号を前記表示装置に出力する混合手段とを含むことを特徴とするＡＶシステム。
【請求項３】
請求項２に記載のＡＶシステムであって、
前記受信手段が前記ＯＳＤ表示の解除要求を受信したとき、前記要求手段は前記コンテンツ再生装置にＯＳＤ解除要求を送信し、
前記ＯＳＤ生成手段は、前記ＯＳＤ解除要求を受信したとき、前記ＯＳＤ信号の生成を停止することを特徴とするＡＶシステム。
【請求項４】
表示装置に接続可能な増幅装置と、前記増幅装置に接続されるコンテンツ再生装置とを備えたＡＶシステムであって、
前記コンテンツ再生装置は、
アナログ方式又はデジタル方式の映像信号又は静止画信号を生成する生成手段を備え、
前記増幅装置は、
前記コンテンツ再生装置から送信されるデジタル方式の映像信号又は静止画信号をそのまま出力する出力手段と、
ＯＳＤ（オンスクリーンディスプレイ）表示の要求を受信する受信手段と、
前記コンテンツ再生装置からデジタル方式の映像信号又は静止画信号を受信している場合であって、前記ＯＳＤ表示の要求を受信したとき、前記デジタル方式の映像信号又は静止画信号を遮断する遮断手段と、
前記ＯＳＤ表示の要求を受信したとき前記増幅装置の設定状況を前記表示装置に表示させるためのＯＳＤ信号を生成し、前記コンテンツ再生装置からデジタル方式の映像信号又は静止画信号を受信している場合、前記生成されたＯＳＤ信号を前記表示装置に出力し、前記コンテンツ再生装置からアナログ方式の映像信号又は静止画信号を受信している場合、前記生成されたＯＳＤ信号を前記アナログ方式の映像信号又は静止画信号と混合した混合信号を前記表示装置に出力するＯＳＤ出力手段とを備えることを特徴とするＡＶシステム。
【請求項５】
請求項４に記載のＡＶシステムであって、
前記受信手段が前記ＯＳＤ表示の解除要求を受けたとき、前記ＯＳＤ出力手段は前記ＯＳＤ信号の生成を停止し、
前記遮断手段は、前記増幅装置が前記コンテンツ再生装置からデジタル方式の映像信号又は静止画信号を受信している場合であって、前記ＯＳＤ表示の解除要求を受けたとき、前記デジタル方式の映像信号又は静止画信号の遮断を解除することを特徴とするＡＶシステム。
【請求項６】
コンテンツ再生装置と、表示装置とに接続可能な増幅装置であって、
ＯＳＤ（オンスクリーンディスプレイ）表示の要求を受信する受信手段と、
前記コンテンツ再生装置からデジタル方式の映像信号又は静止画信号を受信している場合であって、前記ＯＳＤ表示の要求を受信したとき、前記増幅装置の設定状況を前記表示装置に表示させるためのＯＳＤ要求を前記コンテンツ再生装置に送信する要求手段と、
前記コンテンツ再生装置からアナログ方式の映像信号又は静止画信号を受信している場合であって、前記ＯＳＤ表示の要求を受信したとき、前記増幅装置の設定状況を前記表示装置に表示させる第１のＯＳＤ指示手段とを備えることを特徴とする増幅装置。
【請求項７】
コンテンツ再生装置と、表示装置とに接続可能な増幅装置であって、
前記コンテンツ再生装置から送信されるデジタル方式の映像信号又は静止画信号をそのまま出力する出力手段と、
ＯＳＤ（オンスクリーンディスプレイ）表示の要求を受信する受信手段と、
前記コンテンツ再生装置からデジタル方式の映像信号又は静止画信号を受信している場合であって、前記ＯＳＤ表示の要求を受信したとき、前記デジタル方式の映像信号又は静止画信号を遮断する遮断手段と、
前記ＯＳＤ表示の要求を受信したとき前記増幅装置の設定状況を前記表示装置に表示させるためのＯＳＤ信号を生成し、前記コンテンツ再生装置からデジタル方式の映像信号又は静止画信号を受信している場合、前記生成されたＯＳＤ信号を前記表示装置に出力し、前記コンテンツ再生装置からアナログ方式の映像信号又は静止画信号を受信している場合、前記生成されたＯＳＤ信号を前記アナログ方式の映像信号又は静止画信号と混合した混合信号を前記表示装置に出力するＯＳＤ出力手段とを備えることを特徴とする増幅装置。
【請求項８】
請求項６又は請求項７に記載の手段を増幅装置に実現させるための増幅装置の動作プログラム。
【発明の詳細な説明】
【技術分野】
【０００１】
本発明は、ＡＶシステム、増幅装置及び増幅装置の動作プログラムに関し、さらに詳しくは、増幅装置とコンテンツ再生装置とを備え、表示装置に接続されるＡＶシステム、ＡＶシステムにおける増幅装置及び増幅装置の動作プログラム。
【背景技術】
【０００２】
近年、ＡＶレシーバ等の増幅装置と、ＤＶＤ再生装置等のコンテンツ再生装置とで構成されるＡＶシステムが普及している。図１５に示すように、ＡＶシステム７００内のＡＶレシーバ１００は、接続されたＤＶＤ再生装置３００からＤＶＤ映像信号ＤＶＳと音声信号ＡＳとを受け、ＤＶＤ映像信号ＤＶＳを表示装置２００へ中継する。また、受けた音声信号ＡＳに所定の信号処理を施した後、スピーカ４００へ送信する。これにより、ユーザは、ＤＶＤ再生装置３００で高画質の映像を再生しつつ、ＡＶレシーバ１００に処理された高音質の音声も楽しむことができる。
【０００３】
ＡＶシステム７００と表示装置２００との接続構成の他の例として、図１６示す接続構成が考えられる。この場合、ＤＶＤ再生装置３００から出力されるＤＶＤ映像信号ＤＶＳは表示装置２００に直接入力される。そのため、図１５の接続構成と比較して、ＤＶＤ映像信号ＤＶＳの伝送経路が短くなり、画質を確保できる。
【０００４】
ところで、ＡＶレシーバ１００は、通常、ＯＳＤ（On Screen Display）表示機能を備える。ＯＳＤ表示機能とは、ＡＶレシーバ１００の設定状況画面（以下、ＯＳＤ画面と称する）を表示装置２００に表示させる機能である。これにより、ユーザはＯＳＤ画面を見ながら、音声の調整等のＡＶレシーバの設定調整ができる。ＯＳＤ画面を表示する場合、ＡＶレシーバ１００はＯＳＤ信号を表示装置２００に出力する。
【０００５】
しかしながら、図１６の接続構成では、表示装置２００はＡＶレシーバ１００のＯＳＤ画面を表示できない。なぜなら、ＤＶＤ再生装置３００は、ＤＶＤ映像信号ＤＶＳを出力している間、ＡＶレシーバ１００から出力されたＯＳＤ信号を表示装置２００に伝送できないからである。そのため、ＤＶＤを再生中に、ユーザは、音声の調整といったＡＶレシーバの設定調整を、ＯＳＤ画面を見ながら行うことができない。特に、ＤＶＤ映像信号ＤＶＳに基づく映像と音声信号ＡＳに基づく音声とを同期させるとき、映像とＯＳＤ画面とを同時に見ながら同期調整できる方が好ましい。
【０００６】
同様の問題は、図１５の接続構成でも発生する場合がある。通常、ＤＶＤ再生装置３００がＤＶＤ映像信号ＤＶＳを出力している場合、ＡＶレシーバ１００は、入力されたＤＶＤ映像信号ＤＶＳと、自身が生成したＯＳＤ信号とを同時に表示装置２００に出力できる。しかしながら、ＤＶＤ再生装置３００が、ＨＤＭＩ（High-Definition Multimedia Interface）方式又はＤＶＩ（Digital Visual Interface）方式等のデジタル方式のＤＶＤ映像信号ＤＶＳを出力する場合、ＡＶレシーバ１００はデジタル方式のＤＶＤ映像信号ＤＶＳと、自身が生成したＯＳＤ信号とを同時に表示装置２００に伝送できない。ＡＶレシーバ１００は、デジタル方式で入力された信号と他の信号とを同時に表示装置２００に出力できず、デジタル方式の信号のみを出力することしかできないためである。
【０００７】
【特許文献１】特開平９−１６３２５８号公報
【発明の開示】
【発明が解決しようとする課題】
【０００８】
本発明の目的は、増幅装置とコンテンツ再生装置と表示装置との接続構成にかかわらず、増幅装置の設定状況を表示装置に表示できるＡＶシステムを提供することである。
【０００９】
本発明の他の目的は、コンテンツ再生装置からの映像信号に基づいて表示装置に表示される映像とともに、増幅装置の設定状況も表示できるＡＶシステムを提供することである。
【課題を解決するための手段及び発明の効果】
【００１０】
本発明によるＡＶシステムは、表示装置に接続可能な増幅装置と、増幅装置に接続されるコンテンツ再生装置とを備える。コンテンツ再生装置は、生成手段を備える。生成手段は、アナログ方式又はデジタル方式の映像信号又は静止画信号を生成する。増幅装置は、受信手段と、要求手段と、第１のＯＳＤ指示手段とを備える。受信手段は、ＯＳＤ（オンスクリーンディスプレイ）表示の要求を受信する。要求手段は、コンテンツ再生装置からデジタル方式の映像信号又は静止画信号を受信している場合であって、ＯＳＤ表示の要求を受信したとき、増幅装置の設定状況を表示装置に表示させるためのＯＳＤ要求をコンテンツ再生装置に送信する。第１のＯＳＤ指示手段は、コンテンツ再生装置からアナログ方式の映像信号又は静止画信号を受信している場合であって、ＯＳＤ表示の要求を受信したとき、増幅装置の設定状況を表示装置に表示させる。コンテンツ再生装置は第２のＯＳＤ指示手段を備える。第２のＯＳＤ指示手段は、ＯＳＤ要求を受信したとき、増幅装置の設定状況を表示装置に表示させる。
【００１１】
この場合、増幅装置が表示装置とコンテンツ再生装置とを中継しており、かつ、デジタル方式の映像信号又は静止画信号を受けている場合でも、表示装置は、ＯＳＤ要求に基づくＯＳＤ画面を表示できる。
【００１２】
好ましくは、ＯＳＤ要求は増幅装置の設定状況情報を含む。第２のＯＳＤ指示手段は、再生判断手段と、ＯＳＤ生成手段と、混合手段とを備える。再生判断手段は、ＯＳＤ要求を受信したとき、生成手段が映像信号又は静止画信号を生成しているか否かを判断する。ＯＳＤ生成手段は、生成手段は映像信号又は静止画信号を生成していると再生判断手段が判断した場合、設定状況情報に基づいてＯＳＤ信号を生成する。混合手段は、ＯＳＤ信号を映像信号又は静止画信号と混合した混合信号を表示装置に出力する。
【００１３】
この場合、表示装置は、コンテンツ再生装置の映像信号又は静止画信号に基づく映像又は静止画と、ＯＳＤ信号に基づくＯＳＤ画面とを同時に表示できる。よって、ユーザは映像又は静止画を見ながら増幅装置の設定状況も見ることができる。そのため、ユーザは増幅装置の設定を調整しやすくなる。
【００１４】
好ましくは、受信手段がＯＳＤ表示の解除要求を受信したとき、要求手段はコンテンツ再生装置にＯＳＤ解除要求を送信する。ＯＳＤ生成手段は、ＯＳＤ解除要求を受信したとき、ＯＳＤ信号の生成を停止する。
【００１５】
この場合、ＯＳＤ画面の解除要求に基づき、ＯＳＤ信号の出力が停止される。よって、表示装置にＯＳＤ画面は表示されない。
【００１６】
本発明によるＡＶシステムは、表示装置に接続可能な増幅装置と、増幅装置に接続されるコンテンツ再生装置とを備える。コンテンツ再生装置は、生成手段を備える。生成手段は、アナログ方式又はデジタル方式の映像信号又は静止画信号を生成する。増幅装置は、出力手段と、受信手段と、遮断手段と、ＯＳＤ出力手段とを備える。出力手段は、コンテンツ再生装置から送信されるデジタル方式の映像信号又は静止画信号をそのまま出力する。受信手段は、ＯＳＤ（オンスクリーンディスプレイ）表示の要求を受信する。遮断手段は、コンテンツ再生装置からデジタル方式の映像信号又は静止画信号を受信している場合であって、ＯＳＤ表示の要求を受信したとき、デジタル方式の映像信号又は静止画信号を遮断する。ＯＳＤ出力手段は、ＯＳＤ表示の要求を受信したとき増幅装置の設定状況を表示装置に表示させるためのＯＳＤ信号を生成し、コンテンツ再生装置からデジタル方式の映像信号又は静止画信号を受信している場合、生成されたＯＳＤ信号を表示装置に出力し、コンテンツ再生装置からアナログ方式の映像信号又は静止画信号を受信している場合、生成されたＯＳＤ信号をアナログ方式の映像信号又は静止画信号と混合した混合信号を表示装置に出力する。
【００１７】
増幅装置は表示装置とコンテンツ再生装置とを中継しており、かつ、増幅装置に入力された映像信号又は静止画信号がデジタル方式である場合、遮断手段がデジタル方式の映像信号又は静止画信号を遮断する。よって、増幅装置はＯＳＤ信号を出力できる。
【００１８】
好ましくは、受信手段がＯＳＤ表示の解除要求を受けたとき、ＯＳＤ出力手段はＯＳＤ信号の生成を停止する。遮断手段は、増幅装置がコンテンツ再生装置からデジタル方式の映像信号又は静止画信号を受信している場合であって、ＯＳＤ表示の解除要求を受けたとき、デジタル方式の映像信号又は静止画信号の遮断を解除する。
【００１９】
この場合、ＯＳＤ画面の表示を終了後、増幅装置はデジタル方式の映像信号又は静止画信号を再び伝送できる。
【発明を実施するための最良の形態】
【００２０】
以下、図面を参照し、本発明の実施の形態を詳しく説明する。図中同一又は相当部分には同一符号を付してその説明は繰り返さない。
【００２１】
１．全体構成
図１及び図２に示すように、本実施の形態によるＡＶシステム１は、増幅装置であるＡＶレシーバ１０とコンテンツ再生装置であるＤＶＤ再生装置５０とを備える。ＡＶシステム１は表示装置２００に接続される。
【００２２】
ＡＶレシーバ１０とＤＶＤ再生装置５０と表示装置２００との接続構成は２種類ある。図１に示すようにＡＶレシーバ１０がＤＶＤ再生装置５０を介して表示装置２００と接続される接続構成（この接続構成をタイプ１と称する）と、図２に示すように、ＡＶレシーバ１０が表示装置２００とＤＶＤ再生装置５０とを中継している接続構成（この接続構成をタイプ２と称する）である。
【００２３】
なお、ＡＶレシーバ１０はスピーカ４００に接続され、ＤＶＤ再生装置５０から受けた音声信号ＡＳをスピーカ４００に出力する。また、ＡＶレシーバ１０は、ＤＶＤ再生装置５０以外の、１又は複数のＡＶ機器５００とも接続可能である。ＡＶ機器５００は、たとえばビデオデコーダやアナログオーディオ機器等である。
【００２４】
以下、ＡＶレシーバ１０とＤＶＤ再生装置５０の構成の詳細を説明する。
【００２５】
１．１．ＡＶレシーバの構成
図３を参照して、ＡＶレシーバ１０は、ＡＶレシーバ全体を制御する制御部１１と、通信部１２と、信号変換部１３と、ＯＳＤ信号出力部１４と、選択部１５と、メモリ１８とを備える。ＡＶレシーバ１０はさらに、入力端子群１６と、出力端子群１７とを備える。
【００２６】
入力端子群１６は、複数のアナログ入力端子ＡＩＴ１（Analog Input Terminal）とＨＤＭＩ入力端子ＨＩＴ１(HDMI Input Terminal)とを含む。複数のアナログ入力端子ＡＩＴ１は、１又は複数のＡＶ機器５００に接続可能であり、接続されたＡＶ機器５００からアナログ映像信号を受ける。
【００２７】
一方、ＨＤＭＩ入力端子ＨＩＴ１は、デジタル方式であるＨＤＭＩ方式の映像信号を出力するＡＶ機器５００又はＤＶＤ再生装置５０に接続される。図２に示すタイプ２の接続構成では、ＤＶＤ再生装置５０はＨＤＭＩ入力端子ＨＩＴ１に接続される。
【００２８】
選択部１５は、入力端子群１６から入力される外部信号の中から、表示装置２００へ送信する信号を選択する。たとえば、ユーザが表示装置２００に表示したい映像がビデオデコーダ等のＡＶ機器５００で再生される映像である場合、選択部１５はＡＶ機器５００が接続されたアナログ入力端子ＡＩＴ１を選択し、他のアナログ入力端子ＡＩＴ１及びＨＤＭＩ入力端子ＨＩＴ１を遮断する。これにより、ＡＶレシーバ１０は所望の映像信号を選択できる。
【００２９】
通信部１２は、ユーザからのＯＳＤ表示の要求、又はＯＳＤ表示の解除要求を受ける。ユーザは、たとえば、図示しないリモコンを操作することで、ＯＳＤ表示の要求又は解除要求をＡＶレシーバ１０に送信できる。また、通信部１２は、後述するＯＳＤ要求又はＯＳＤ解除要求をＤＶＤ再生装置５０に出力する。通信部１２はたとえばＩＥＥＥ１３９４インタフェースである。
【００３０】
ＯＳＤ信号出力部１４は、通信部１２で受信されるＯＳＤ表示の要求に応じて、ＡＶレシーバ１０の設定状況に基づいてＯＳＤ信号φＯＳ１を生成し、出力する。さらに、アナログ入力端子ＡＩＴ１からアナログ映像信号が入力される場合、ＯＳＤ信号出力部１４は、生成したＯＳＤ信号φＯＳ１とアナログ映像信号とをミキシングした混合信号を出力する。なお、ユーザからＯＳＤ表示の要求を受けていない場合、ＯＳＤ信号出力部１４は、ＯＳＤ信号φＯＳ１を生成せず、選択部１５から出力された映像信号をそのまま信号変換部へ伝送する。
【００３１】
信号変換部１３は、ＯＳＤ信号出力部１４で出力された信号に所定の処理を施して、外部に出力する。このとき、アナログ信号としてアナログ出力端子ＡＯＴ１（Analog Output Terminal）から出力してもよいし、ＨＤＭＩ方式の信号に変換してＨＤＭＩ出力端子ＨＯＴ１（HDMI Output Terminal）から出力してもよい。
【００３２】
なお、選択部１５がＨＤＭＩ入力端子ＨＩＴ１を選択する場合、入力されるＨＤＭＩ方式の映像信号は、ＯＳＤ信号出力部１４及び信号変換部１３で何ら処理を受けることなく、そのまま出力端子ＨＯＴ１から出力される。そのため、ＡＶレシーバ１０はＨＤＭＩ方式の映像信号にＯＳＤ信号φＯＳ１を混合させることができない。
【００３３】
制御部１１は、判断部１１１と要求部１１２とを含む。判断部１１１は、ＡＶレシーバ１０とＤＶＤ再生装置５０と表示装置２００との接続構成がタイプ１であるかタイプ２であるかを判断する。接続構成の情報（接続構成がタイプ１であるか、タイプ２であるか）は予めメモリ１８に登録されており、判断部１１１は、登録された情報を参照して判断する。
【００３４】
接続構成をタイプ２と判断したとき、判断部１１１はさらに、入力される映像信号がＨＤＭＩ方式であるか否かを判断する。このとき、判断部１１１は、判断時に選択部１５が選択している入力端子、つまり、遮断していない入力端子に基づいて判断する。つまり、判断時に選択部１５がＨＤＭＩ入力端子ＨＩＴ１を選択していた場合、判断部１１１は入力される映像信号がＨＤＭＩ方式であると判断する。
【００３５】
要求部１１２は、通信部１２がユーザからＯＳＤ表示の要求を受けたとき、判断部１１１の判断に応じてＯＳＤ要求を出力する。このとき、ＯＳＤ要求は、表１に示す設定状況情報を含む。
【００３６】
【表１】
2006187027.tif 000003
【００３７】
表１を参照して、設定状況情報内の「設定項目」には、ＯＳＤ画面に表示される設定項目が登録される。表１では映像と音声とのずれを補正する項目である「AV sync」が登録されている。「設定値」には、設定項目の現在の設定値を登録する。「９２ｍｓ」とは、音声の方が、映像よりも９２ｍｓ早いという意味である。「設定項目表示位置」及び「設定値表示位置」には、設定項目及び設定値が表示装置２００の画面に表示される位置をそれぞれ登録する。「設定項目背面透過」及び「設定値背面透過」には、表示装置２００に設定項目及び設定値を表示したときに、背面を透過して表示するか、半透過して表示するかをそれぞれ登録する。
【００３８】
なお、後述するように、要求部１１２は設定状況情報を含まないＯＳＤ要求を出力する場合もある。また、要求部１１２は、通信部１２がユーザからＯＳＤ表示の解除要求を受けたとき、判断部１１１の判断に応じてＯＳＤ解除要求を出力する。
【００３９】
ＡＶレシーバ１０は、メモリ１８に動作プログラムをインストールすることで、以降に示すＡＶレシーバ１０の動作を実行できる。
【００４０】
１．２．ＤＶＤ再生装置の構成
図４を参照して、ＤＶＤ再生装置５０は、通信部５１と、制御部５２と、ＤＶＤドライバ５３と、生成部５４と、ＯＳＤ指示部５５と、変換部５６とを備える。ＤＶＤ再生装置５０はさらに、ＨＤＭＩ入力端子ＨＩＴ２と、アナログ入力端子ＡＩＴ２と、ＨＤＭＩ出力端子ＨＯＴ２と、アナログ出力端子ＡＯＴ２とを備える。
【００４１】
通信部５１は、ＡＶレシーバ１０から送信されたＯＳＤ要求又はＯＳＤ解除要求を受信する。通信部５１はたとえばＩＥＥＥ１３９４インタフェースである。制御部５２はＤＶＤ再生装置５０全体を制御する。生成部５４は、ＤＶＤドライバ５３に格納されるＤＶＤ５３１に基づいてＤＶＤ映像信号ＤＶＳを生成する。なお、生成部５４は静止画信号を生成してもよい。また、生成する信号はアナログ方式でもよいし、デジタル方式でもよい。
【００４２】
ＯＳＤ指示部５５は、ＯＳＤ生成部５５１と、混合部５５２と、選択部５５３と、再生判断部５５４とを備える。再生判断部５５４は、生成部５４がＤＶＤ映像信号ＤＶＳを生成しているか否かを判断する。ＯＳＤ生成部５５１は、ＤＶＤ再生装置５０がＯＳＤ要求を受け、かつ、再生判断部５５４が生成部５４はＤＶＤ映像信号ＤＶＳを生成していると判断したとき、受信したＯＳＤ要求内の設定状況情報に基づいてＯＳＤ信号φＯＳ２を生成する。
【００４３】
混合部５５２は、ＤＶＤ映像信号ＤＶＳとＯＳＤ信号φＯＳ２とをミキシングし、混合信号ＭＩＸを出力する。また、ＯＳＤ信号φＯＳ２が生成されず、ＤＶＤ映像信号ＤＶＳのみが生成された場合、ＤＶＤ映像信号ＤＶＳをそのまま出力する。
【００４４】
選択部５５３は、タイプ１の接続構成のときに、アナログ入力端子ＡＩＴ２から入力されるアナログ信号と、ＨＤＭＩ入力端子ＨＩＴ２から入力されるＨＤＭＩ方式の信号と、混合部５５２の出力信号とから、いずれかの信号を選択し、変換部５６へ出力する。
【００４５】
変換部５６は、選択部５５３から出力される信号に応じて所定の変換を行う。選択部５５３から出力された信号が、アナログ信号又はＤＶＤ映像信号ＤＶＳ又は混合信号ＭＩＸである場合、変換部５６はアナログ信号をＩ／Ｐ変換及び解像度変換し、さらに必要に応じてＨＤＭＩ方式の信号に変換し、外部へ出力する。
【００４６】
また、選択部５５３がＨＤＭＩ入力端子ＨＩＴ２から入力されたＨＤＭＩ方式の信号を選択した場合、変換部５６はＨＤＭＩ方式の信号をそのままＨＤＭＩ出力端子ＨＯＴ２を介して外部に出力する。
【００４７】
ＤＶＤ再生装置５０は、内部の図示しないメモリに動作プログラムをインストールすることで、以降に示すＤＶＤ再生装置５０の動作を実行できる。
【００４８】
２．第１のＯＳＤ表示動作
以下、ＡＶレシーバ１０のＯＳＤ画面を表示装置２００に表示させるためのＡＶシステム１の動作（ＯＳＤ表示動作）を説明する。
【００４９】
２．１．動作概要
［接続構成がタイプ１の場合］
図５を参照して、ＤＶＤ再生装置５０がＤＶＤ５３１を再生中に、ＡＶレシーバ１０はユーザからＯＳＤ表示の要求を受ける（１）。要求を受けたＡＶレシーバ１０は、ＡＶシステム１と表示装置２００との接続構成をタイプ１と判断する（２）。このとき、ＡＶレシーバ１０は、設定状況情報を含むＯＳＤ要求をＤＶＤ再生装置５０に送信する（３）。
【００５０】
ＤＶＤ再生装置５０は、ＯＳＤ要求を受け、ＯＳＤ要求内の設定状況情報に基づいてＯＳＤ信号φＯＳ２を生成し、ＤＶＤ映像信号ＤＶＳとミキシングした混合信号ＭＩＸを表示装置２００に出力する（４）。表示装置２００は混合信号ＭＩＸを受信し、混合信号ＭＩＸに基づき映像及びＯＳＤ画面を同時に表示する。
【００５１】
以上により、タイプ１の接続構成でも、映像とＡＶレシーバ１０のＯＳＤ画面とを同時に表示装置２００に表示させることができる。よって、ユーザは画面を見ながらＡＶレシーバ１０の設定を調整でき、音声を映像に容易に同期させることができる。
【００５２】
なお、ＡＶ機器５００から出力されたアナログ映像信号に基づく映像が表示装置２００に表示されている場合であって、ＡＶレシーバ１０がユーザからＯＳＤ表示の要求を受けたとき、ＡＶレシーバ１０は、ＯＳＤ信号出力部１４で生成したＯＳＤ信号φＯＳ１とアナログ映像信号とを混合し、ＤＶＤ再生装置５０を介して表示装置２００に出力できる。そのため、従来のＡＶシステムと同様に、ユーザは画面を見ながらＡＶレシーバ１０の設定を調整できる。
【００５３】
［接続構成がタイプ２の場合］
図６を参照して、ＤＶＤ再生装置５０がＤＶＤ５３１を再生しているとき、ＤＶＤ再生装置５０はＨＤＭＩ方式のＤＶＤ映像信号ＤＶＳを出力する。よって、ＡＶレシーバ１０はＨＤＭＩ方式のＤＶＤ映像信号ＤＶＳをそのまま表示装置２００に中継する。
【００５４】
ここで、ＡＶレシーバ１０がユーザからＯＳＤ表示の要求を受けたとき（１）、接続構成がタイプ２であって、かつＨＤＭＩ方式のＤＶＤ映像信号ＤＶＳを中継していると判断する（２）。よって、ＡＶレシーバ１０は設定状況情報を含むＯＳＤ要求をＤＶＤ再生装置５０に送信する（３）。
【００５５】
ＤＶＤ再生装置５０は、設定状況情報に基づいて生成したＯＳＤ信号φＯＳ２とＤＶＤ映像信号ＤＶＳとを混合した混合信号ＭＩＸをＨＤＭＩ方式の信号として出力する（４）。よって、ＡＶレシーバ１０はＨＤＭＩ方式の混合信号ＭＩＸをそのまま表示装置２００に中継する。
【００５６】
以上の動作により、接続構成がタイプ２であり、かつ、ＡＶレシーバ１０に入力される映像信号がＨＤＭＩ方式であっても、映像とＡＶレシーバ１０のＯＳＤ画面とを表示装置２００に同時に表示させることができる。
【００５７】
以下、ＡＶレシーバ１０及びＤＶＤ再生装置５０の動作の詳細を説明する。
【００５８】
２．２．ＡＶレシーバとＤＶＤ再生装置の動作の詳細
図７及び図８を参照して、ＡＶレシーバ１０は図７に示すＯＳＤ要求処理（Ｓ２０）を所定時間ごとに繰り返し、ＤＶＤ再生装置５０は図８に示すＯＳＤ信号出力処理（Ｓ３０）を所定時間ごとに繰り返す。
【００５９】
［接続構成がタイプ１の場合］
ＡＶレシーバ１０は、初めに、通信部１２がＤＶＤ再生装置５０内の通信部５１と接続されているか否かを判断する（Ｓ１）。接続されていない場合、ＯＳＤ要求処理を終了する。
【００６０】
通信部１２が通信部５１に接続されている場合であって、ＡＶレシーバ１０がユーザからＯＳＤ表示の要求を受けたとき（Ｓ２）、ＡＶレシーバ１０は接続構成を判断する（Ｓ３）。このとき、判断部１１１は、接続構成がタイプ１であると判断する。
【００６１】
接続構成をタイプ１と判断した後、要求部１１２はＤＶＤ再生装置５０にＯＳＤ要求を出力する（Ｓ５）。このとき、ＯＳＤ要求は表１に示した設定状況情報を含む。このとき、ＡＶレシーバ１０はユーザからＯＳＤ表示の解除要求を受けないため（Ｓ６）、ＯＳＤ要求処理（Ｓ２０）を終了する。
【００６２】
一方、ＯＳＤ信号出力処理（Ｓ３０）において、ＤＶＤ再生装置５０がＤＶＤ５３１を再生している場合、ＤＶＤ再生装置５０は、初めに通信部５１が通信部１２に接続されていると判断した後（Ｓ１１）、生成部５４がＤＶＤ映像信号ＤＶＳを生成していると判断する（Ｓ１２）。ステップＳ５で出力されたＯＳＤ要求を通信部５１が受けたとき、制御部５２は、ＯＳＤ要求を受けたと判断する（Ｓ１３）。このとき、ＯＳＤ指示部５５は表示装置２００にＯＳＤ画面を表示させるための処理を行う（Ｓ１４）。
【００６３】
具体的には、初めにＯＳＤ生成部５５１が、設定状況情報に基づいてＯＳＤ信号φＯＳ２を生成する（Ｓ１４１）。次に、混合部５５２が生成されたＯＳＤ信号φＯＳ２をＤＶＤ映像信号ＤＶＳと混合し、混合信号ＭＩＸを生成する（Ｓ１４２）。生成された混合信号ＭＩＸは選択部５５３及び変換部５６を介して表示装置２００に出力される（Ｓ１４３）。
【００６４】
表示装置２００は、混合信号ＭＩＸを受け、図９に示すように、映像とともにＡＶレシーバ１０のＯＳＤ画面を表示する。このとき、設定状況情報内の設定項目表示位置に基づいて設定項目「ＡＶｓｙｎｃ」が表示され、設定値表示位置に基づいて設定値「９２ｍｓ」が表示される。ＡＶレシーバ１０の設定状況（ＡＶｓｙｎｃ，９２ｍｓ）が映像と共に表示されるため、ユーザは映像を見ながら図示しないリモコン等を用いてＡＶレシーバ１０の設定を調整できる。なお、ステップＳ１４を実行後、ＤＶＤ再生装置５０はＯＳＤ信号処理（Ｓ３０）を終了する。
【００６５】
なお、ＯＳＤ表示処理（Ｓ２０）において、ユーザがＡＶレシーバ１０の設定を調整するごとに、ＡＶレシーバ１０はＯＳＤ表示の要求を受け（Ｓ２）、ＯＳＤ要求を出力する（Ｓ５）。一方、ＯＳＤ信号出力処理（Ｓ３０）において、ＤＶＤ再生装置５０はＯＳＤ要求を受けるごとに、ステップＳ１４の処理を実行する。そのため、調整するたびにＯＳＤ画面が表示装置２００に表示される。よって、ユーザは、画面を見ながらＡＶレシーバ１０の設定値の調整ができる。
【００６６】
ユーザが設定調整を終了し、ＯＳＤ表示を解除するようにＡＶレシーバ１０に要求したとき、ＯＳＤ要求処理（Ｓ２０）中のステップＳ６でＡＶレシーバ１０は、ユーザからＯＳＤ表示の解除要求を受けたと判断する。そのため、要求部１１２は、ＯＳＤ解除要求をＤＶＤ再生装置５０に出力する（Ｓ７）。このとき、ＯＳＤ信号出力処理（Ｓ３０）において、ＤＶＤ再生装置５０はステップＳ１５でＯＳＤ解除要求を受けたと判断する。よって、ＯＳＤ生成部５５１はＯＳＤ信号φＯＳ２の生成を停止する（Ｓ１６）。このとき、混合部５５２はＤＶＤ映像信号ＤＶＳのみを選択部５５３に出力する。そのため、ＤＶＤ再生装置５０から表示装置２００にＤＶＤ映像信号ＤＶＳのみが出力される。よって、表示装置２００は映像のみを表示し、ＯＳＤ画面を表示しない。
【００６７】
［接続構成がタイプ２の場合］
ＯＳＤ要求処理（Ｓ２０）において、ＡＶレシーバ１０はユーザからＯＳＤ表示の要求を受けた後（Ｓ２）、接続構成を判断する（Ｓ３）。このとき、判断部１１１は接続構成がタイプ２と判断するため、判断部１１１はさらに、ＤＶＤ再生装置５０から出力され、ＡＶレシーバ１０に入力されるＤＶＤ映像信号ＤＶＳがＨＤＭＩ方式であるか否かを判断する（Ｓ４）。具体的には、ＡＶレシーバ１０のＨＤＭＩ入力端子ＨＩＴ１と、ＤＶＤ再生装置５０のＨＤＭＩ出力端子ＨＯＴ２とが接続されているか否かを判断する。
【００６８】
判断の結果、ＤＶＤ映像信号ＤＶＳがＨＤＭＩ方式である場合、要求部１１２はＯＳＤ要求を出力する（Ｓ５）。以降のＯＳＤ要求処理（Ｓ２０）及びＯＳＤ信号出力処理（Ｓ３０）の動作は接続構成がタイプ１の場合と同じである。
【００６９】
以上により、本実施の形態によるＡＶシステム１は、ＤＶＤ再生装置５０がＤＶＤ５３１を再生中に、接続構成にかかわらず、映像と共にＡＶレシーバ１０のＯＳＤ画面を表示装置２００に表示できる。その結果、ユーザはＡＶレシーバ１０の設定調整を映像と合わせながら調整でき、たとえばリップシンクの調整等に有効である。
【００７０】
３．第２のＯＳＤ表示動作
ＤＶＤ再生装置５０がＤＶＤ５３１を再生しているときに、他の方法によってもＡＶレシーバ１０のＯＳＤ画面を表示装置２００に表示できる。以下、その動作について説明する。
【００７１】
３．１．動作概要
［接続構成がタイプ１の場合］
図１０を参照して、ＤＶＤ再生装置５０がＤＶＤ５３１を再生しているとき（１）、ＡＶレシーバ１０はユーザからＯＳＤ表示の要求を受ける（２）。
【００７２】
要求を受けたＡＶレシーバ１０は、接続構成がタイプ１であると判断する（３）。よって、ＡＶレシーバ１０は、ＯＳＤ要求をＤＶＤ再生装置５０に出力する（４）。このとき出力されるＯＳＤ要求には、設定状況情報は含まれない。そのため、ＡＶレシーバ１０は自身の設定状況を表示するためのＯＳＤ信号φＯＳ１を出力する（４）。
【００７３】
ＯＳＤ要求を受けたＤＶＤ再生装置５０は、ＤＶＤ映像信号ＤＶＳの出力を停止し、ＡＶレシーバ１０から出力されたＯＳＤ信号φＯＳ１を表示装置２００に伝送する（５）。
【００７４】
以上により、ＤＶＤ再生装置５０がＤＶＤ５３１を再生していても、表示装置２００はＡＶレシーバ１０のＯＳＤ画面を表示できる。
【００７５】
［接続構成がタイプ２の場合］
図１１を参照して、ＤＶＤ再生装置５０がＨＤＭＩ方式のＤＶＤ映像信号ＤＶＳを出力している場合（１）、ＡＶレシーバ１０はユーザからＯＳＤ表示の要求を受け（２）、接続構成がタイプ２であって、かつ、ＤＶＤ映像信号ＤＶＳがＨＤＭＩ方式であると判断する（３）。このとき、ＡＶレシーバ１０は、ＤＶＤ映像信号ＤＶＳを遮断し（４）、自身で生成したＯＳＤ信号φＯＳ１を表示装置２００に出力する（５）。
【００７６】
以上により、接続構成がタイプ２の場合であっても、ＯＳＤ信号φＯＳ１により、表示装置２００にＡＶレシーバ１０のＯＳＤ画面を表示できる。
【００７７】
以下、詳細について説明する。
【００７８】
３．２．ＡＶレシーバとＤＶＤ再生装置の動作の詳細
［接続構成がタイプ１の場合］
図１２及び図１３を参照して、ＡＶレシーバ１０は、所定時間ごとに図１２に示すＯＳＤ信号出力処理を行う（Ｓ１００）。一方、ＤＶＤ再生装置５０は、所定時間ごとに図１３に示す切替処理を行う（Ｓ２００）。
【００７９】
ＡＶレシーバ１０がユーザからＯＳＤ表示の要求を受けたとき（Ｓ１０２）、ＯＳＤ信号出力部１４は、ＯＳＤ信号φＯＳ１を出力する（Ｓ１０３）。このとき、信号変換部１３を介して出力されるＯＳＤ信号φＯＳ１は、アナログ信号として出力される。
【００８０】
また、判断部１１１は接続構成を判断する（Ｓ１０４）。接続構成がタイプ１であるため、要求部１１２は、ＯＳＤ要求をＤＶＤ再生装置５０に出力する（Ｓ１０５）。よって、ＡＶレシーバ１０からＯＳＤ要求とＯＳＤ信号φＯＳ１とがＤＶＤ再生装置５０に出力される。
【００８１】
ＤＶＤ再生装置５０は、ステップＳ１０５で出力されたＯＳＤ要求を受ける（Ｓ２０１）。このとき、ＤＶＤ再生装置５０は、選択部５５３がＤＶＤ映像信号ＤＶＳを選択しているか否か判断する（Ｓ２０２）。ＤＶＤ５３１を再生しているとき、選択部５５３はＤＶＤ映像信号ＤＶＳを選択している。そこで、ＯＳＤ要求を受けたとき、選択部５５３は入力されるＯＳＤ信号φＯＳ１を選択する。具体的には、選択部５５３はアナログ入力端子ＡＩＴ２を選択する（Ｓ２０３）。
【００８２】
以上より、ステップＳ１０３で出力されたＯＳＤ信号φＯＳ１は、アナログ入力端子ＡＩＴ２から選択部５５３及び変換部５６を経由して、表示装置２００に出力される。その結果、ＡＶレシーバ１０のＯＳＤ画面を表示装置２００に表示できる。そのため、ユーザはＯＳＤ画面を見ながらＡＶレシーバ１０の設定を調整できる。なお、ＯＳＤ信号φＯＳ１はＨＤＭＩ方式の信号として出力してもよい。この場合、ステップＳ２０３で選択部５５３は、ＨＤＭＩ入力端子ＨＩＴ２を選択する。
【００８３】
ＡＶレシーバ１０がユーザからＯＳＤ表示の解除要求を受けたとき（Ｓ１０８）、ＯＳＤ信号出力部１４はＯＳＤ信号φＯＳ１の出力を停止する（Ｓ１２０）。これにより、表示装置２００にＡＶレシーバ１０のＯＳＤ画面が表示されなくなる。
【００８４】
続いて、判断部１１１は接続構成を判断する（Ｓ１０９）。判断部１１１は接続構成がタイプ１であると判断するため、要求部１１２はＯＳＤ解除要求をＤＶＤ再生装置５０に出力する（Ｓ１１０）。
【００８５】
ＯＳＤ解除要求を受けたとき（Ｓ２０４）、ＤＶＤ再生装置５０は、ステップＳ２０１でＯＳＤ要求を受けたときに選択部５５３が選択を切り換えたか否かを判断する（Ｓ２０５）。制御部５２内の図示しないメモリは、切り換え前に選択されていた信号がＤＶＤ映像信号ＤＶＳである旨を記録している。そのため、選択部５５３はＤＶＤ映像信号ＤＶＳを再び選択する（Ｓ２０６）。その結果、表示装置２００にＯＳＤ画面が表示されなくなると、再び映像が表示される。
【００８６】
［接続構成がタイプ２の場合］
図１２及び図１３を参照して、ＤＶＤ再生装置５０からＨＤＭＩ方式のＤＶＤ映像信号ＤＶＳがＡＶレシーバ１０を中継して表示装置２００に出力されている場合であって、ＡＶレシーバ１０がユーザからＯＳＤ表示の要求を受けたとき（Ｓ１０２）、ＯＳＤ信号出力部１４がＯＳＤ信号φＯＳ１を出力する（Ｓ１０３）。続いて判断部１１１が接続構成をタイプ２と判断する（Ｓ１０４）。
【００８７】
このとき、判断部１１１はさらに、ＤＶＤ映像信号ＤＶＳがＨＤＭＩ方式であると判断する（Ｓ１０６）。その結果、選択部１５はアナログ入力端子ＡＩＴ１を選択する（Ｓ１０７）。よって、ＨＤＭＩ方式のＤＶＤ映像信号ＤＶＳは、選択部１５により遮断される。
【００８８】
選択部１５がＨＤＭＩ入力端子ＨＩＴ１を選択している場合、ＡＶレシーバはＨＤＭＩ入力端子ＨＩＴ１から入力された信号をそのまま出力することしかできず、ＯＳＤ信号φＯＳ１を出力できない。そこで、ステップＳ１０７で選択部１５はアナログ入力端子ＡＩＴ１を選択する。つまり、ＨＤＭＩ入力端子ＨＩＴ１を遮断する。これによりＨＤＭＩ方式のＤＶＤ映像信号ＤＶＳは遮断される。そのため、ＡＶレシーバ１０は、ＯＳＤ信号φＯＳ１を表示装置２００に出力できる。その結果、ＡＶレシーバ１０のＯＳＤ画面を表示装置２００に表示でき、ユーザはＯＳＤ画面を見ながら設定を調整できる。
【００８９】
一方、ＡＶレシーバ１０がユーザからＯＳＤ表示の解除要求を受けたとき（Ｓ１０８）、ＯＳＤ信号出力部１４はＯＳＤ信号φＯＳ１の出力を停止する（Ｓ１２０）。
【００９０】
続いて、判断部１１１は接続構成がタイプ２であると判断する（Ｓ１０９）。判断部１１１はさらに、切り換え前はＨＤＭＩ入力端子ＨＩＴ１であったと判断する（Ｓ１１１）。よって、選択部１５は再びＨＤＭＩ入力端子ＨＩＴ１を選択する（Ｓ１１２）。なお、切り換え前の情報はメモリ１８に記録されている。以上の動作により、ＯＳＤ画面が表示されなくなると、再び映像が表示装置２００に表示される。
【００９１】
４．映像信号選択処理
タイプ１の接続構成では、ＤＶＤ再生装置５０がＤＶＤ映像信号ＤＶＳを出力する場合と、ＡＶレシーバ１０のアナログ入力端子ＡＩＴ１に接続されたＡＶ機器５００が映像信号を出力する場合と、ＡＶレシーバ１０のＨＤＭＩ入力端子ＨＩＴ１に接続されたＡＶ機器５００がＨＤＭＩ方式の映像信号を出力する場合とがある。表示装置２００へ出力する映像信号の選択は、ＤＶＤ再生装置５０内の選択部５５３で行われる。よって、一般的に、ユーザは映像信号の選択をＤＶＤ再生装置５０に要求するが、ユーザがＡＶレシーバ１０に映像信号の選択を要求してもよい。
【００９２】
図１４を参照して、ユーザがＤＶＤ再生装置５０の再生映像を見たい場合、ユーザはリモコン等を用いてＡＶレシーバ１０にＤＶＤ選択要求を送信する。
【００９３】
このときＡＶレシーバ１０はＤＶＤ選択要求を受信し（Ｓ１５１）、要求部１１２はＤＶＤ選択コマンドをＤＶＤ再生装置５０に出力する（Ｓ１５２）。ＤＶＤ再生装置５０はＤＶＤ選択コマンドを受け、選択部５５３はＤＶＤ映像信号ＤＶＳを選択する（Ｓ２５１）。これにより、ユーザはＡＶレシーバ１０に要求すれば、表示装置２００にＤＶＤ映像信号ＤＶＳに基づく映像を表示できる。
【００９４】
同様に、ＡＶレシーバ１０はユーザからＨＤＭＩ選択要求を受けたとき（Ｓ１５３）、ＨＤＭＩ選択コマンドを出力する（Ｓ１５４）。ＨＤＭＩ選択コマンドを受け、選択部５５３はＨＤＭＩ入力端子ＨＩＴ２を選択する（Ｓ２５２）。これにより、ＡＶレシーバ１０に接続されたＡＶ機器５００から送信されたＨＤＭＩ方式の映像信号を、表示装置２００に表示できる。同様に、ＡＶレシーバ１０がアナログ信号選択要求を受け（Ｓ１５５）、要求部１１２がアナログ選択コマンドを出力したとき（Ｓ１５６）、選択部５５３はアナログ入力端子ＡＩＴ２を選択する（Ｓ２５３）。
【００９５】
本実施の形態におけるＡＶシステム１では、デジタル方式の映像信号をＨＤＭＩ方式の映像信号としたが、ＤＶＩ方式の映像信号であっても同様の動作が可能である。ＤＶＩ方式の映像信号の場合、ＡＶレシーバ１０及びＤＶＤ再生装置５０は、ＤＶＩ方式の映像信号を入力するためのＤＶＩ入力端子、出力するためのＤＶＩ出力端子を備える。
【００９６】
また、本実施の形態におけるＡＶシステム１は、表示装置２００が静止画信号を受け、静止画を表示する場合であっても、映像信号の場合と同様の動作が可能である。
【００９７】
本発明はＡＶレシーバ１０に限定されず、ＡＶアンプといった他の増幅装置についても同様に採用され得る。
【００９８】
また、本発明はＤＶＤ再生装置５０に限定されず、任意のコンテンツ再生装置に採用され得る。たとえば、静止画及び音声を再生するＤＶＤオーディオプレーヤ等の任意の記録媒体再生装置や、ＬＡＮ又はインターネット等のネットワーク経由でサーバから配信されたコンテンツ（音声、映像及び／又は静止画等）を再生するクライアント装置等に採用され得る。
【００９９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１００】
【図１】本発明の実施の形態によるＡＶシステムと表示装置との接続構成を示すブロック図である。
【図２】本発明の実施の形態によるＡＶシステムと表示装置との接続構成の他の例を示すブロック図である。
【図３】図１及び図２に示すＡＶレシーバの構成の詳細を示す機能ブロック図である。
【図４】図１及び図２に示すＤＶＤ再生装置の構成の詳細を示す機能ブロック図である。
【図５】図１に示すＡＶシステムの動作の概要を示す概略図である。
【図６】図２に示すＡＶシステムの動作の概要を示す概略図である。
【図７】図５及び図６に示すＡＶレシーバの動作を示すフロー図である。
【図８】図５及び図６に示すＤＶＤ再生装置の動作を示すフロー図である。
【図９】図５及び図６に示す表示装置に表示されるＯＳＤ画面の一例を示す概略図である。
【図１０】図１に示すＡＶシステムの動作の他の例の概要を示す概略図である。
【図１１】図２に示すＡＶシステムの動作の他の例の概要を示す概略図である。
【図１２】図１０及び図１１に示すＡＶレシーバの動作の他の例を示すフロー図である。
【図１３】図１０及び図１１に示すＤＶＤ再生装置の動作を示すフロー図である。
【図１４】図１に示すＡＶシステムの映像信号選択処理の動作を示すフロー図である。
【図１５】従来のＡＶシステムと表示装置との接続構成を示すブロック図である。
【図１６】図１５の接続構成の変更例を示すブロック図である。
【符号の説明】
【０１０１】
１  ＡＶシステム
１０  ＡＶレシーバ
１１，５２  制御部
１２，５１  通信部
１４  ＯＳＤ信号出力部
１５，５５３  選択部
１８    メモリ
５０  ＤＶＤ再生装置
５４  生成部
５５  ＯＳＤ指示部
１１１  判断部
１１２  要求部
２００  表示装置
５００  ＡＶ機器
５５１  ＯＳＤ生成部
５５２  混合部
５５４  再生判断部
【図１】
2006187027.tif 000004
【図２】
2006187027.tif 000005
【図３】
2006187027.tif 000006
【図４】
2006187027.tif 000007
【図５】
2006187027.tif 000008
【図６】
2006187027.tif 000009
【図７】
2006187027.tif 000010
【図８】
2006187027.tif 000011
【図９】
2006187027.tif 000012
【図１０】
2006187027.tif 000013
【図１１】
2006187027.tif 000014
【図１２】
2006187027.tif 000015
【図１３】
2006187027.tif 000016
【図１４】
2006187027.tif 000017
【図１５】
2006187027.tif 000018
【図１６】
2006187027.tif 000019